【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
リアルタイム通信セッションの間に喪失メディアの回復を選択的に試みるように構成されたユーザ機器(UE)を動作させる方法であって、
前記UEに正しく到着しなかった、前記リアルタイム通信セッションに参加する別のUEからの喪失メディアパケットの存在を検出するステップと、
前記検出するステップに応答して前記喪失メディアパケットの回復に関連して複数の外部ソースからの任意の外部ソースに接触する前に、前記複数の外部ソースから少なくとも1つの外部ソースを動的に選択するために前記喪失メディアパケットに関連する回復基準値の組を評価するステップであって、前記少なくとも1つの外部ソースから、前記喪失メディアパケットは、回復基準値の前記組に基づいて前記喪失メディアパケットの回復を試みるために様々な予測信頼性および応答時間において回復され得る可能性があり、前記様々な予測信頼性は、前記複数の外部ソースが前記喪失メディアパケットにアクセスする様々なレベルの確信度に対応する、ステップと、
前記評価に基づいて前記選択された少なくとも1つの外部ソースに前記喪失メディアパケットを要求するステップと
を含む、方法。
【請求項２】
前記選択された少なくとも1つの外部ソースに前記喪失メディアパケットを要求するステップは、前記喪失メディアパケットを回復することができず、前記方法はさらに、
前記喪失メディアパケットの回復を再試行しないと決定するステップを含み、
前記リアルタイム通信セッションは、前記喪失メディアパケットの再生なしに続く、
請求項1に記載の方法。
【請求項３】
前記選択された少なくとも1つの外部ソースに前記喪失メディアパケットを要求するステップは、前記喪失メディアパケットを回復することができず、前記方法はさらに、
前記喪失メディアパケットの回復を再試行すると決定するステップと、
回復基準値の前記組に基づいて前記喪失メディアパケットの回復を再試行するために前記複数の外部ソースから少なくとも1つの異なる外部ソースを動的に選択しようと試みるために前記喪失メディアパケットに関連する回復基準値の前記組を再評価するステップと、
前記評価に基づいて前記選択された少なくとも1つの異なる外部ソースから前記喪失メディアパケットを回復することを再試行するステップと
をさらに含む、請求項1に記載の方法。
【請求項４】
前記喪失メディアパケットが回復され得る可能性がある前記複数の外部ソースは、前記別のUE、前記リアルタイム通信セッションを通信調停しているサーバ、および/または前記リアルタイム通信セッションに同様に参加している1つもしくは複数の異なるUEを含む、請求項1に記載の方法。
【請求項５】
前記検出に応答して前記リアルタイム通信セッションを休止するステップと、
前記選択された少なくとも1つの外部ソースから前記喪失メディアパケットのコピーを受信するステップと、
前記リアルタイム通信セッションを休止解除し、前記喪失メディアパケットの前記受信されたコピーを再生するステップと
をさらに含む、請求項1に記載の方法。
【請求項６】
前記選択された少なくとも1つの外部ソースは、前記複数の外部ソースから最も高い信頼性に関連する所与の外部ソースを含む、請求項5に記載の方法。
【請求項７】
回復基準値の前記組は、
(i)前記喪失メディアパケットの再生緊急度、
(ii) 前記複数の外部ソースの各々の期待応答時間、および/または、
(iii) 前記喪失メディアパケットの優先度
を含む、請求項1に記載の方法。
【請求項８】
回復基準値の前記組は、少なくとも(i)および(ii)を含む、請求項7に記載の方法。
【請求項９】
前記喪失メディアパケットの前記再生緊急度は高く、
前記評価するステップは、前記高い再生緊急度を満足する期待応答時間で前記複数の外部ソースのサブセットとして前記選択された少なくとも1つの外部ソースを動的に選択する、
請求項8に記載の方法。
【請求項１０】
前記サブセットは、
前記リアルタイム通信セッションに同様に参加し、前記リアルタイム通信セッションを通信調停しているサーバをバイパスする補助通信リンクを介して前記UEに接続される異なるUEを少なくとも含む、請求項9に記載の方法。
【請求項１１】
回復基準値の前記組は、少なくとも(iii)を含む、請求項7に記載の方法。
【請求項１２】
前記試みるステップは、しきい値を超える前記喪失メディアパケットの前記優先度に基づいて実行され、
前記リアルタイム通信セッション中に1つまたは複数の他の喪失メディアパケットを回復しようとする1つまたは複数の試みは、前記しきい値未満の前記1つまたは複数の他の喪失メディアパケットの優先度に基づいてスキップされる、
請求項11に記載の方法。
【請求項１３】
前記UEに正しく到着しなかった、前記リアルタイム通信セッションに参加する前記別のUEからの別の喪失メディアパケットの存在を検出するステップと、
前記複数の外部ソースから1つまたは複数の外部ソースを動的に選択しようと試みるために前記別の喪失メディアパケットに関連する回復基準値の前記組を評価するステップであって、前記1つまたは複数の外部ソースから、前記別の喪失メディアパケットは、回復基準値の前記組に基づいて前記別の喪失メディアパケットの回復を試みるために様々な予測信頼性および/または応答時間において回復され得る可能性がある、ステップと、
前記別の喪失メディアパケットに関連する回復基準値の前記組の前記評価に基づいて前記選択された1つまたは複数の外部ソースから前記別の喪失メディアパケットを回復しようと試みるステップと
をさらに含み、
前記喪失メディアパケットの回復のために選択された前記少なくとも1つの選択外部ソースは、前記別の喪失メディアパケットの回復のために選択された前記1つまたは複数の選択外部ソースとは異なる、
請求項1に記載の方法。
【請求項１４】
リアルタイム通信セッションの間に喪失メディアの回復を選択的に試みるように構成されたユーザ機器(UE)であって、
前記UEに正しく到着しなかった、前記リアルタイム通信セッションに参加する別のUEからの喪失メディアパケットの存在を検出するための手段と、
前記検出するステップに応答して前記喪失メディアパケットの回復に関連して複数の外部ソースからの任意の外部ソースに接触する前に、前記複数の外部ソースから少なくとも1つの外部ソースを動的に選択するために前記喪失メディアパケットに関連する回復基準値の組を評価するための手段であって、前記少なくとも1つの外部ソースから、前記喪失メディアパケットは、回復基準値の前記組に基づいて前記喪失メディアパケットの回復を試みるために様々な予測信頼性および応答時間において回復され得る可能性があり、前記様々な予測信頼性は、前記複数の外部ソースが前記喪失メディアパケットにアクセスする様々なレベルの確信度に対応する、手段と、
前記評価に基づいて前記選択された少なくとも1つの外部ソースに前記喪失メディアパケットを要求するための手段と
を含む、ユーザ機器(UE)。
【請求項１５】
リアルタイム通信セッションの間に喪失メディアの回復を選択的に試みるように構成されたユーザ機器(UE)によって実行されるとき前記UEに動作を実行させる命令を記憶している、非一時的コンピュータ可読記憶媒体であって、前記命令は、
前記UEに正しく到着しなかった、前記リアルタイム通信セッションに参加する別のUEからの喪失メディアパケットの存在を前記UEに検出させる少なくとも1つの命令と、
前記検出するステップに応答して前記喪失メディアパケットの回復に関連して複数の外部ソースからの任意の外部ソースに接触する前に、前記複数の外部ソースから少なくとも1つの外部ソースを動的に選択するために前記喪失メディアパケットに関連する回復基準値の組を前記UEに評価させる少なくとも1つの命令であって、前記少なくとも1つの外部ソースから、前記喪失メディアパケットは、回復基準値の前記組に基づいて前記喪失メディアパケットの回復を試みるために様々な予測信頼性および応答時間において回復され得る可能性があり、前記様々な予測信頼性は、前記複数の外部ソースが前記喪失メディアパケットにアクセスする様々なレベルの確信度に対応する、命令と、
前記評価に基づいて前記選択された少なくとも1つの外部ソースに前記喪失メディアパケットを要求させる少なくとも1つの命令と
を含む、非一時的コンピュータ可読記憶媒体。